(57)【要約】【課題】増毛貼着シートを広い面積で頭皮に押さえ付けて貼り付け可能にし、かつ、貼り付け作業を片手によるワンタッチ作業で楽に行えるようにする。【解決手段】増毛用スティックの構成部材である筒状部材を、下端面により増毛貼着シートを係止保持する外側筒体と、外側筒体内に移動可能に挿入される内側筒体との二部材から構成する。内側筒体を外側筒体よりも長く形成すると共に、外側筒体の下端部近くの内面に、内側筒体を常時は外側筒体の下端よりも上方位置に仮止めしかつ所定以上の押圧力が作用したとき下方への移動を許す仮止め係合突起を突出形成する。髪止ストッパーによる髪止めを解除した状態のもとでの内側筒体の下方への押圧移動時、内側筒体の下端を外側筒体の下端から下方に突出可能に構成した。【選択図】図１
2018084017.tif 000002
【特許請求の範囲】
【請求項１】
筒状部材に増毛貼着シートに植設された増毛用髪を貫通させて、増毛貼着シートの外周縁部を筒状部材の下端面に係止させると共に、筒状部材の上端開口部に髪止ストッパーを差し込んで増毛用髪の中間部分を止めるようにした増毛用スティックであって、上記筒状部材を、下端面により増毛貼着シートを係止保持する外側筒体と、外側筒体内に移動可能に挿入される内側筒体との二部材から構成すると共に、内側筒体を外側筒体よりも長く形成し、この内側筒体の上端開口部に髪止ストッパーを差し込み可能に設ける一方、外側筒体の下端部近くの内面に、常時は内側筒体を外側筒体の下端よりも上方位置に仮止めすると共に所定以上の押圧力が作用したとき内側筒体の下方への移動を許す仮止め係合突起を突出形成し、かつ、髪止ストッパーによる髪止めを解除した状態のもとでの内側筒体の下方への押圧移動時、内側筒体の下端を外側筒体の下端から下方に突出可能に構成したことを特徴とする増毛用スティック。
【請求項２】
内側筒体を、外側筒体の内面に接して移動可能でかつ外側筒体における下端部近くから上端までの長さとほぼ同じ長さとした内筒本体と、該内筒本体に連設されかつ内筒本体よりも小さい筒状の上方筒部とから形成する一方、髪止ストッパーを、上方筒部内に差し込み可能な髪止軸部と、髪止軸部に連設されかつ髪止軸部を上方筒部内から内筒本体内に押し込み可能な長さを有する押込軸部とから形成したことを特徴とする請求項１記載の増毛用スティック。
【発明の詳細な説明】
【技術分野】
【０００１】  本発明は、増毛用髪が植設された増毛貼着シートを頭皮に貼り付けて増毛する際に、増毛貼着シートを押さえ付けて頭皮に圧着する増毛用スティックに関する。
【背景技術】
【０００２】  従来、この種の増毛用スティックとしては、たとえば一つの円筒体を用い、この円筒体に増毛貼着シートに植設された増毛用髪を貫通させて、増毛貼着シートの外周縁部を円筒体の下端面に係止させると共に、円筒体の上端開口部に蓋型の髪止ストッパーを差し込んで増毛用髪の中間部分を止めるようにした構成のものが知られている。【０００３】  そして、この増毛用スティックを用いて増毛用髪を頭皮に貼り付ける場合、まず、増毛貼着シートから剥離紙を外し、円筒体を持って増毛貼着シートを所望する貼り付け位置に移動させ、次に、円筒体の下端面により増毛貼着シートの外周縁部を貼り付け位置に押さえ付けて、増毛貼着シートを頭皮に圧着させ、その後、円筒体の押さえ付け状態を一方の手で維持したまま、他方の手で円筒体の上端開口部から髪止ストッパーを外側に取り外し、然る後、増毛貼着シートと増毛用髪を頭皮側に残して円筒体を増毛用髪から抜き取ることにより増毛用髪の貼着作業を行うようにしている。
【発明の概要】
【発明が解決しようとする課題】
【０００４】  ところで、上記した従来の増毛用スティックによれば、円筒体を用いることにより、増毛貼着シートを思い通りの位置に貼り付けることは可能であるけれども、単に一つの円筒体の下端面のみにより増毛貼着シートの外周縁部を頭皮に押さえ付けて貼り付ける構造であるため、増毛貼着シートを押し付ける場所が増毛貼着シートの外周縁部に限られてしまうことになる。そのため、圧着力が増毛貼着シートの広範囲に及びにくく、増毛貼着シート全体による大きな定着力が得られにくい問題があった。また、増毛用スティックは円筒体の下端面に増毛貼着シートの外周縁部を当接させた状態で保管することから、増毛貼着シートの外周縁部分における粘着力が円筒体の下端面に及んで円筒体の下端面と増毛貼着シートの外周縁部とがくっつく現象が生じ、そのため、円筒体を頭皮に対して引き上げて抜き取る際に、円筒体と一緒に増毛貼着シートの外周縁部がくっついて頭皮から剥れたり、皺が付いたり縁がめくれたりする恐れがあった。【０００５】  さらに、従来の増毛用スティックによれば、蓋型の髪止ストッパーを円筒体から外側に取り外す際に、両手を使う必要がある。つまり、一方の手で円筒体を頭皮に押さえ付け、その押さえ付け姿勢を維持したまま、他方の手で円筒体の上端開口部から髪止ストッパーを外側に取り外す必要がある。その結果、髪止ストッパーの取り外し作業が非常に煩雑で熟練を要し、また、両手を使うと円筒体周りにたとえば前髪などが垂れ下がってきて貼着部分が隠れてしまう不具合があった。このため、貼着状態の確認を目視により行いながら円筒体を抜き取るといった作業を行うことが難しいものでもあった。【０００６】  そこで、本発明は、増毛貼着シートを広い面積で頭皮に押さえ付けて確実かつ強固に貼り付けることができ、また、増毛用髪の貼着作業を片手によるワンタッチ作業で簡単容易に行うことができると同時に、残った手で頭髪を掻き上げて目視により貼着状態を正確に確認しながら増毛貼着シートが頭皮から剥れたり、皺が付いたり縁がめくれたりすることなく貼り付けることができる増毛用スティックの提供を課題とする。
【課題を解決するための手段】
【０００７】  上記した課題を解決するため、本願の請求項１記載の発明は、筒状部材に増毛貼着シートに植設された増毛用髪を貫通させて、増毛貼着シートの外周縁部を筒状部材の下端面に係止させると共に、筒状部材の上端開口部に髪止ストッパーを差し込んで増毛用髪の中間部分を止めるようにした増毛用スティックであって、上記筒状部材を、下端面により増毛貼着シートを係止保持する外側筒体と、外側筒体内に移動可能に挿入される内側筒体との二部材から構成すると共に、内側筒体を外側筒体よりも長く形成し、この内側筒体の上端開口部に髪止ストッパーを差し込み可能に設ける一方、外側筒体の下端部近くの内面に、常時は内側筒体を外側筒体の下端よりも上方位置に仮止めすると共に所定以上の押圧力が作用したとき内側筒体の下方への移動を許す仮止め係合突起を突出形成し、かつ、髪止ストッパーによる髪止めを解除した状態のもとでの内側筒体の下方への押圧移動時、内側筒体の下端を外側筒体の下端よりも下方に突出可能に構成したことを特徴とする。【０００８】  本願の請求項２記載の発明は、請求項１記載の内側筒体を、外側筒体の内面に接して移動可能でかつ外側筒体における下端部近くから上端までの長さとほぼ同じ長さとした内筒本体と、該内筒本体に連設されかつ内筒本体よりも小さい筒状の上方筒部とから形成する一方、髪止ストッパーを、上方筒部内に差し込み可能な髪止軸部と、髪止軸部に連設されかつ髪止軸部を上方筒部内から内筒本体内に押し込み可能な長さを有する押込軸部とから形成したことを特徴とする。
【発明の効果】
【０００９】  本発明の増毛用スティックによれば、上記した請求項１記載の構成により、増毛用髪の貼着作業時、外側筒体を持って該外側筒体の下端面により増毛貼着シートの外周縁部を頭皮の貼り付け位置に押し付けることにより、増毛貼着シートを頭皮に正確に貼り付けることができ、しかも、髪止ストッパーによる髪止めを解除したうえで片手により内側筒体をその上端部を利用して仮止め係合突起の係合力に抗して下方へ移動させるだけの簡単なワンタッチ操作により、内側筒体の下端面で先の外側筒体の下端面による増毛貼着シートの圧着外周縁部のさらに内側部分の頭皮への押し付けを行うことができる。これにより増毛貼着シートの外周部を広い面積で頭皮に押さえ付けて確実かつ強固に圧着することができる。さらに、内側筒体の下端を外側筒体の下端よりも下方に突出させることが可能な構成としているので、片手操作により内側筒体を外側筒体に対し押し下げて増毛貼着シートを頭皮に押さえ付ける際、内側筒体の下端が外側筒体の下端からさらに下方に突出しようとする力が加わると、これの反発力が外側筒体を持ち上げる方向の力として作用することになる。その結果、内側筒体の下端面で増毛貼着シートを頭皮に押さえ付けた状態のもとで、外側筒体の下端面が増毛貼着シートの外周縁部から自動的にかつその外周縁部を乱すことなく瞬時にさっと離れて浮き上がることになる。したがって、外側筒体の増毛貼着シートに対する取り外し動作が、内側筒体の下方への押圧動作で同時にかつ自動的に行われ、外側筒体と一緒に増毛貼着シートが頭皮から剥れたり、皺が付いたり縁がめくれてしまうといったことを阻止することができる。【００１０】  また、請求項２記載の構成によれば、上記した請求項１の効果に加えて、増毛用髪の貼着作業を、自分一人でかつ片手により髪止ストッパーと内側筒体とを外側筒体の下端側に押し込むだけのワンタッチ操作できわめて簡単容易に行うことができる。つまり、片手で外側筒体を持って増毛貼着シートを頭皮の所望貼り付け位置に押し当て、その状態の片手の人指し指或いは親指により髪止ストッパーを内側筒体側に押し下げて、髪止ストッパー全体を内筒本体内に落とし込み増毛用髪の髪止めを解除する一方、これに続いてさらに人指し指或いは親指により、内側筒体を仮止め係合突起の係合力に抗して外側筒体の下端面と同じ頭皮位置まで押し下げることにより、増毛用髪の貼着作業をワンタッチ操作できわめて簡単容易に行うことができる。その上、残った他方の手で頭髪を掻き上げておくことが可能になるので、増毛用髪の貼着作業時、頭髪を掻き上げた状態のもとで鏡を利用した目視により増毛貼着シートの頭皮への貼り付け状態を細かく正確に確認しながら外周縁部に皺が付いたり縁がめくれたり或いは頭髪を挟んだりすることがないように貼り付けることができる。
【図面の簡単な説明】
【００１１】
【図１】本発明に係る増毛用スティックの縦断面図である。
【図２】同増毛用スティックの分解説明図である。
【図３】同増毛用スティックに増毛貼着シートをセットした状態の縦断面図である。
【図４】同増毛用スティックの使用状態を示す説明図である。
【図５】同増毛用スティックの内側筒体を外側筒体に対し押し下げたときの動作状態を示す説明図である。
【発明を実施するための形態】
【００１２】  以下本発明の実施の形態を図に基づいて説明する。
【００１３】  図１〜図２は、本発明に係る増毛用スティックを示すもので、該増毛用スティックは、図１に示すように外側筒体２と該外側筒体２内に挿入可能な内側筒体３との二部材からなる筒状部材１と、内側筒体３の上端開口部に差込可能な髪止ストッパー４とを備えている。
【００１４】  外側筒体２は、図２の（イ）に示すように、上方と下方が連通開口する円筒形状を呈し、その下端にはその下端が径方向外方側にカールされて接地面を大きくするための幅出し部（下端面）２１が形成され、この幅出し部２１により後述する増毛貼着シートの外周縁部が係止される。また、幅出し部２１の近くに位置する下端部内面には、内側筒体３の下端に当接して内側筒体３を仮止めしかつ所定以上の押圧力が作用したとき下方への移動を許す複数の仮止め係合突起２２…２２が内方に向って突出形成されている。
【００１５】  内側筒体３は、図２の（ロ）に示すように、外側筒体２の長さよりも長くかつ上方と下方が連通開口する円筒形状を呈している。そして、この内側筒体３は、外側筒体２内にその内面に沿わせて挿入可能な下方側の内筒本体３１と、内筒本体３１にテーパー状段部３２を介して内筒本体３１の内径よりも小径となる円筒形状の上方筒部３３とから形成されている。ここで、図に示す実施例では内筒本体３１の長さは外側筒体２における上端から仮止め係合突起２２…２２までの長さとほぼ同じに形成されている。また、上方筒部３３の長さは、外側筒体２における下端から仮止め係合突起２２までの長さよりも長く設定されている。これにより常時は図１に示すように内筒本体３１が、その下端が仮止め係合突起２２に当接する位置まで外側筒体２内に挿入され、テーパー状段部３２と上方筒部３３とが外側筒体２の上端から上方へ突出する状態の組み付けセット位置に保持される。また、内筒本体３１の長さ方向中間部分には、後述する髪止ストッパー４が内筒本体３１内に押し込まれたとき、髪止ストッパー４を内筒本体３１の内部空間に受け止め落下を阻止する複数の受止め突起３４…３４が内方に向って突出形成されている。また、上端にはその上端が径方向外方側にカールされて補強端部３５が形成されている。
【００１６】  髪止ストッパー４は、図２の（ハ）に示すように、上方筒部３３内に挿入可能な円筒形状の髪止軸部４１と、髪止軸部４１にテーパー状段部４２を介して連設される小径の円筒形状の押込軸部４３とから形成されている。髪止軸部４１の軸方向長さは、たとえば上方筒部３３の長さよりもやや短い長さもしくは同じ長さに形成されており、押込軸部４３の軸方向長さは、髪止ストッパー４を上方筒部３３内から内筒本体３１内に押し込み可能な長さ、つまり上方筒部３３の長さよりも長い寸法に形成されている。
【００１７】  一方、上記した増毛用スティックには、図３に示すように増毛用髪５が植設された剥離紙６付きの円形状増毛貼着シート７が用いられる。この増毛貼着シート７の外周部の径は外側筒体２の幅出し部２１における外径とほぼ同径に形成されている。この増毛貼着シート７を増毛用スティックにセットするには、まず、髪止ストッパー４は取り外しておく。そして、外側筒体２に内側筒体３のみを上記した組み付けセット位置に保持した状態のもとで、たとえば外側筒体２の幅出し部２１側から内側筒体３内に増毛貼着シート７の増毛用髪５を挿入して、上方筒部３３から増毛貼着シート７を上方外方へと引き上げる。これにより、増毛貼着シート７の外周縁部が外側筒体２の幅出し部２１に当接して引っかかる。その後、この引っかかり挿入状態を維持したままで内側筒体３の上方筒部３３に髪止ストッパー４の髪止軸部４１を差し込み、増毛用髪５の中間部分を内側筒体３と髪止ストッパー４との間で挟み付けて止める。このようにして増毛用髪５が下方に落ちることがなく、かつ同時に増毛貼着シート７の外周縁部が外側筒体２の下端面に当接した状態を維持するように髪止ストッパー４で止めておく。なお、増毛貼着シート７を増毛用スティックにセットする方法としては、上記したセット方法に何ら限られるものではない。
【００１８】  次に、以上のように構成された増毛用スティックの作用について説明する。
【００１９】  増毛用スティックを用いて頭皮Ａの所定位置に増毛用髪を貼着する場合、まず、図３に示す増毛用スティックにおける増毛貼着シート７から剥離紙６を取り外す。次に、たとえば片手の親指と中指、薬指、小指とで外側円筒体２を掴み、人指し指を髪止ストッパー４の押込軸部４３の上端に宛がう状態で増毛用スティックを片手保持する。そして、残った他方の手で頭髪を掻き上げ、鏡を利用して貼り付け位置を正確に確認する。その後、その掻き上げたまま、一方の手で外側筒体２を利用してその幅出し部２１に位置する増毛貼着シート７を頭皮Ａの所望する貼り付け位置に押し当てる。これにより、外側筒体２の幅出し部２１により増毛貼着シートの外周縁部を頭皮に貼り付ける。然る後、その押し当てた状態のもとで、人指し指で押込軸部４３を内側筒体３内に押し込む。これにより図４に示すように、髪止軸部４１を上方筒部３３から内筒本体３１内に、つまり髪止ストッパー４全体を内筒本体３１内に落とし込み、髪止ストッパー４による増毛用髪５の髪止めを解除する。そして、この押し込み操作に続いてさらに人指し指で、内側筒体３を仮止め係合突起２２の係合力に抗して外側筒体２の下方（幅出し部２１側）へ押し下げる。これにより図４に示すように、内側筒体３の下端面で、先の外側筒体２の幅出し部２１による増毛貼着シートの圧着外周縁部のさらに内側部分の頭皮への押し付けを行うことができる。その結果、増毛貼着シート７の外周部を広い面積で頭皮Ａに押さえ付けて確実かつ強固に圧着することができる。
【００２０】  さらに、内側筒体３の下端を外側筒体２の下端よりも下方に突出させることが可能な構成としているので、片手操作により内側筒体３を外側筒体２に対し押し下げて増毛貼着シート７の内側部分を頭皮Ａに押さえ付ける際、内側筒体３の下端が外側筒体２の下端からさらに下方に突出しようとする力が加わると、図５に示すように、これの反発力が外側筒体３を持ち上げる方向の力として作用することになる。その結果、内側筒体３の下端面で増毛貼着シート７を頭皮Ａに押さえ付けた状態のもとで、外側筒体２の幅出し部２１が増毛貼着シート７の外周縁部から自動的にかつ外周縁部を乱すことなく瞬時にさっと離れて浮き上がることになる。したがって、外側筒体２の増毛貼着シート７に対する取り外し動作が、内側筒体３の下方への押圧動作で同時にかつ自動的に行われ、外側筒体２と一緒に増毛貼着シート７が頭皮から剥れたり、皺が付いたり縁がめくれてしまうといったことを阻止することができる。
【００２１】  その後は、内側筒体３を外側筒体２と共に持ち上げて、これら内側筒体３と外側筒体２を増毛用髪５から引き抜くことにより増毛用髪５の貼着作業が完了する。
【００２２】  以上のように、本発明の増毛用スティックによれば、外側筒体２の幅出し部２１と内側筒体３の下端面とにより増毛貼着シート７の外周部を広い面積で頭皮Ａに押さえ付けて確実かつ強固に貼り付けることができる。しかも、上記したように片手で外側筒体２を掴み、その片手で髪止ストッパー４と内側筒体３を外側筒体２側に押し込むだけのワンタッチ操作できわめて簡単容易に貼着作業を行うことができる。また、その際片手による増毛用髪の貼着作業と同時に残った他方の手で頭髪を掻き上げておくことができ、その結果、増毛用髪の貼着作業時、頭髪を掻き上げた状態のもとで鏡を利用した目視により増毛貼着シートの頭皮への貼り付け状態を細かく正確に確認しながら外周縁部に皺が付いたり縁がめくれたり或いは頭髪を挟んだりすることなく貼り付けることができる。さらに、外側筒体２の増毛貼着シート７に対する取り外し動作が、内側筒体３の下方への押圧動作で同時にかつ自動的に行われ、外側筒体２と一緒に増毛貼着シートが頭皮から剥れたり、皺が付いたり縁がめくれてしまうといったことを阻止することができる。
【００２３】  なお、上記した実施の形態では、一方の手の親指と中指、薬指、小指とで外側筒体２を掴み、人指し指で髪止ストッパー４を押し下げるようにしたけれども、何らこれに限られるものではなくたとえば一方の手の人差し指、中指、薬指、小指で外側筒体２を掴み、親指で髪止ストッパー４を押し下げるようにしてもよい。
【００２４】  また、上記した実施の形態では、外側筒体２、内側筒体３、髪止ストッパー４をいずれも円筒形状としたものについて説明したけれど、何ら円筒形状に限定されるものではなく、たとえば四角形状の筒形や多角形状の筒形などであってもよいこと勿論である。さらに、髪止ストッパー４は上端を開口した中空形状であってもよいし、中実部材により形成してもよい。さらに、外側筒体２、内側筒体３、髪止ストッパー４の部材としても、合成樹脂により形成する他、別の部材を用いて形成しても良いこと勿論である。
【符号の説明】
【００２５】１              筒状部材
２              外側筒体
３              内側筒体
４              髪止ストッパー
２２            仮止め係合突起
３１            内筒本体
３３            上方筒部
４１            髪止軸部
４３            押込軸部
【図１】
2018084017.tif 000003
【図２】
2018084017.tif 000004
【図３】
2018084017.tif 000005
【図４】
2018084017.tif 000006
【図５】
2018084017.tif 000007
【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
筒状部材に増毛貼着シートに植設された増毛用髪を貫通させて、増毛貼着シートの外周縁部を筒状部材の下端面に係止させると共に、筒状部材の上端開口部に髪止ストッパーを差し込んで増毛用髪の中間部分を止めるようにした増毛用スティックであって、上記筒状部材を、下端面により増毛貼着シートを係止保持する外側筒体と、外側筒体内に移動可能に挿入される内側筒体との二部材から構成すると共に、内側筒体を外側筒体よりも長く形成し、この内側筒体の上端開口部に髪止ストッパーを差し込み可能に設ける一方、外側筒体の下端部近くの内面に、常時は内側筒体を外側筒体の下端よりも上方位置に仮止めすると共に所定以上の押圧力が作用したとき内側筒体の下方への移動を許す仮止め係合突起を突出形成し、かつ、髪止ストッパーによる髪止めを解除した状態のもとでの内側筒体の下方への押圧移動時、内側筒体の下端を外側筒体の下端から下方に突出可能に構成し、さらに、内側筒体を、外側筒体の内面に接して移動可能でかつ外側筒体における上端から仮止め係合突起までの長さとほぼ同じ長さとした内筒本体と、該内筒本体に連設されかつ内筒本体よりも小さい筒状の上方筒部とから形成する一方、髪止ストッパーを、上方筒部内に差し込み可能な髪止軸部と、髪止軸部に連設されかつ髪止軸部を上方筒部内から内筒本体内に押し込み可能な長さを有する押込軸部とから形成したことを特徴とする増毛用スティック。
【手続補正２】
【補正対象書類名】明細書
【補正対象項目名】０００７
【補正方法】変更
【補正の内容】
【０００７】  上記した課題を解決するため、本発明は、筒状部材に増毛貼着シートに植設された増毛用髪を貫通させて、増毛貼着シートの外周縁部を筒状部材の下端面に係止させると共に、筒状部材の上端開口部に髪止ストッパーを差し込んで増毛用髪の中間部分を止めるようにした増毛用スティックであって、上記筒状部材を、下端面により増毛貼着シートを係止保持する外側筒体と、外側筒体内に移動可能に挿入される内側筒体との二部材から構成すると共に、内側筒体を外側筒体よりも長く形成し、この内側筒体の上端開口部に髪止ストッパーを差し込み可能に設ける一方、外側筒体の下端部近くの内面に、常時は内側筒体を外側筒体の下端よりも上方位置に仮止めすると共に所定以上の押圧力が作用したとき内側筒体の下方への移動を許す仮止め係合突起を突出形成し、かつ、髪止ストッパーによる髪止めを解除した状態のもとでの内側筒体の下方への押圧移動時、内側筒体の下端を外側筒体の下端から下方に突出可能に構成し、さらに、内側筒体を、外側筒体の内面に接して移動可能でかつ外側筒体における上端から仮止め係合突起までの長さとほぼ同じ長さとした内筒本体と、該内筒本体に連設されかつ内筒本体よりも小さい筒状の上方筒部とから形成する一方、髪止ストッパーを、上方筒部内に差し込み可能な髪止軸部と、髪止軸部に連設されかつ髪止軸部を上方筒部内から内筒本体内に押し込み可能な長さを有する押込軸部とから形成したことを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】  本発明の増毛用スティックによれば、上記した構成により、増毛用髪の貼着作業時、外側筒体を持って該外側筒体の下端面で増毛貼着シートの外周縁部を頭皮の貼り付け位置に押し付けることにより、増毛貼着シートを頭皮に正確に貼り付けることができ、しかも、髪止ストッパーによる髪止めを解除したうえで片手により内側筒体をその上端部を利用して仮止め係合突起の係合力に抗して下方へ移動させるだけの簡単なワンタッチ操作により、内側筒体の下端面で先の外側筒体の下端面による増毛貼着シートの圧着外周縁部のさらに内側部分の頭皮への押し付けを行うことができる。これにより増毛貼着シートの外周部を広い面積で頭皮に押さえ付けて確実かつ強固に圧着することができる。さらに、内側筒体の下端を外側筒体の下端よりも下方に突出させることが可能な構成としているので、片手操作により内側筒体を外側筒体に対し押し下げて増毛貼着シートを頭皮に押さえ付ける際、内側筒体の下端が外側筒体の下端からさらに下方に突出しようとする力が加わると、これの反発力が外側筒体を持ち上げる方向の力として作用することになる。その結果、内側筒体の下端面で増毛貼着シートを頭皮に押さえ付けた状態のもとで、外側筒体の下端面が増毛貼着シートの外周縁部から自動的にかつその外周縁部を乱すことなく瞬時にさっと離れて浮き上がることになる。したがって、外側筒体の増毛貼着シートに対する取り外し動作が、内側筒体の下方への押圧動作で同時にかつ自動的に行われ、外側筒体と一緒に増毛貼着シートが頭皮から剥れたり、皺が付いたり縁がめくれてしまうといったことを阻止することができる。
【手続補正５】
【補正対象書類名】明細書
【補正対象項目名】００１０
【補正方法】変更
【補正の内容】
【００１０】特に、上記増毛用髪の貼着作業を、自分一人でかつ片手により髪止ストッパーと内側筒体とを外側筒体の下端側に押し込むだけのワンタッチ操作できわめて簡単容易に行うことができる。つまり、片手で外側筒体を持って増毛貼着シートを頭皮の所望貼り付け位置に押し当て、その状態の片手の人指し指或いは親指により髪止ストッパーを内側筒体側に押し下げて、髪止ストッパー全体を内筒本体内に落とし込み増毛用髪の髪止めを解除する一方、これに続いてさらに人指し指或いは親指により、内側筒体を仮止め係合突起の係合力に抗して外側筒体の下端面と同じ頭皮位置まで押し下げることにより、増毛用髪の貼着作業をワンタッチ操作できわめて簡単容易に行うことができる。その上、残った他方の手で頭髪を掻き上げておくことが可能になるので、増毛用髪の貼着作業時、頭髪を掻き上げた状態のもとで鏡を利用した目視により増毛貼着シートの頭皮への貼り付け状態を細かく正確に確認しながら外周縁部に皺が付いたり縁がめくれたり或いは頭髪を挟んだりすることがないように貼り付けることができる。